(57)【要約】      （修正有）【課題】メッシュの使用を回避し、光ケーブルの径幅を配線管内で最大にできる光ケーブル牽引接続装置を提供する。【解決手段】光ケーブル保護管、スリーブ２、牽引部材３及び締付部材５を含む光ケーブル牽引接続装置であり、光ケーブル保護管は、接続部１２を含む。スリーブは、ヘッド２１及び胴部２２を含み、胴部は、接続部に閉塞される。牽引部材は、本体部３１及び本体部に接続されたタブ３２を含み、本体部は、スリーブの胴部に設けられ、タブは、本体部からスリーブのヘッドに外向きに伸び出す。締付部材は、光ケーブル保護管の接続部に嵌設され、締付部材は、スリーブの胴部と係合して光ケーブル保護管の接続部を介在させる。光ケーブル保護管、スリーブ、牽引部材及び締付部材を互いに緊密に結合させる設計により、施工者は牽引部材を引っ張るだけで、光ケーブルを配線配管内で移動できる。【選択図】図５
0003233655.tif 000002
【実用新案登録請求の範囲】
【請求項１】
管体部及び該管体部を接続する接続部を含む光ケーブル保護管と、
ヘッド及び胴部を含み、該胴部は、該光ケーブル保護管の該接続部に閉塞されるスリーブと、
本体部及び該本体部を接続するタブを含む牽引部材であって、該本体部は、該スリーブの該胴部に設けられ、該タブは、該本体部から該スリーブの該ヘッドに外向きに伸び出す牽引部材と、
該光ケーブル保護管の該接続部に嵌設され、該締付部材は、該スリーブの該胴部と係合して該光ケーブル保護管の該接続部を介在させる締付部材と、を含むことを特徴とする光ケーブル牽引接続装置。
【請求項２】
該接続部は、円錐形を呈することを特徴とする請求項１に記載の光ケーブル牽引接続装置。
【請求項３】
該光ケーブル保護管は、該接続部に形成された少なくとも１つのスロットをさらに含むことを特徴とする請求項２に記載の光ケーブル牽引接続装置。
【請求項４】
該スリーブの該ヘッドの孔径は、該胴部の孔径よりも小さいことを特徴とする請求項１に記載の光ケーブル牽引接続装置。
【請求項５】
該スリーブは、該ヘッドから径方向に外向きに延伸するフランジをさらに含み、該フランジは、該光ケーブル保護管の該接続部の末端を当接させることを特徴とする請求項４に記載の光ケーブル牽引接続装置。
【請求項６】
該スリーブの該胴部の外表面に第１の結合セグメントを有し、該締付部材の内表面に第２の結合セグメントを有し、該第１の結合セグメントと該第２の結合セグメントとは互いに形状が係合することを特徴とする請求項１に記載の光ケーブル牽引接続装置。
【請求項７】
該スリーブは、該胴部に形成された複数の切欠溝をさらに含み、それにより該胴部を複数のシートに区分けすることを特徴とする請求項１に記載の光ケーブル牽引接続装置。
【請求項８】
該スリーブの該ヘッドの孔径は、該胴部の孔径よりも小さいことを特徴とする請求項７に記載の光ケーブル牽引接続装置。
【請求項９】
該スリーブは、該ヘッドから径方向に外向きに延伸するフランジをさらに含み、該フランジは、該光ケーブル保護管の該接続部の末端を当接させることを特徴とする請求項８に記載の光ケーブル牽引接続装置。
【請求項１０】
該牽引部材の該タブは、接合セグメント及びバックルを有し、該バックルは、該接合セグメントに取り外し可能に設けられることを特徴とする請求項１に記載の光ケーブル牽引接続装置。
【請求項１１】
２つのナット及び１つのアダプタリングをさらに含み、該牽引部材の該タブの該接合セグメントは、ねじ状を呈し、該２つのナットは、該接合セグメントにロックされ、該２つのナットは、互いに係合して該アダプタリングを設けるリミットスペースを画定し、該アダプタリングは、対向して設けられた２つの嵌合部を含み、該牽引部材の該バックルの２つの末端は、該アダプタリングの該２つの嵌合部に嵌設されることを特徴とする請求項１０に記載の光ケーブル牽引接続装置。
【請求項１２】
ガスケットをさらに含み、該ガスケットは、該牽引部材の該接合セグメントに嵌設され、該ガスケットは、該２つのナットのうちの１つと該スリーブとの間に介在することを特徴とする請求項１１に記載の光ケーブル牽引接続装置。
【請求項１３】
ジャケットクランプ及び固定器をさらに含み、該ジャケットクランプは、介在部及びレールを含み、該ジャケットクランプは、該光ケーブル保護管の該管体部に取り外し可能に設けられ、該固定器は、該光ケーブル保護管に取り外し可能に嵌設され、かつ該ジャケットクランプに対して移動可能であり、該固定器は、該締付部材を収容する装着部を画定し、該固定器が該ジャケットクランプの該レールに沿って移動する場合、該固定器は、該締付部材が該光ケーブル保護管の該管体部に移動するように駆動し、さらに該締付部材と該スリーブが互いに係合して該光ケーブル保護管の該接続部をクランプさせることを特徴とする請求項１に記載の光ケーブル牽引接続装置。
【請求項１４】
該ジャケットクランプの該介在部は、ボルトによりロック方式で該光ケーブル保護管の該管体部に固定されることを特徴とする請求項１３に記載の光ケーブル牽引接続装置。
【請求項１５】
該ジャケットクランプの該レールは、ねじ状を呈し、該固定器は、回転方式で該ジャケットクランプの該レールに沿って移動することを特徴とする請求項１３に記載の光ケーブル牽引接続装置。
【請求項１６】
該固定器は、雌ねじを有するアダプタ管、及び該アダプタ管に取り外し可能に設けられた可動部材を含み、該可動部材は、該アダプタ管の末端と逆に該装着部を画定することを特徴とする請求項１５に記載の光ケーブル牽引接続装置。
【請求項１７】
該スリーブの該胴部の外表面に第１の結合セグメントを有し、該締付部材の内表面に第２の結合セグメントを有し、該第１の結合セグメントと該第２の結合セグメントとは互いに形状が係合することを特徴とする請求項１６に記載の光ケーブル牽引接続装置。
【請求項１８】
該スリーブの該ヘッドの孔径は、該胴部の孔径よりも小さく、該スリーブは、該ヘッドから径方向に外向きに延伸するフランジをさらに含み、該フランジは、該光ケーブル保護管の該接続部の末端を当接させることを特徴とする請求項１３に記載の光ケーブル牽引接続装置。
【請求項１９】
該スリーブは、該胴部に形成された複数の切欠溝をさらに含み、それにより該胴部を複数のシートに区分けすることを特徴とする請求項１３に記載の光ケーブル牽引接続装置。
【請求項２０】
該スリーブの該複数の切欠溝の延伸方向は、該スリーブの該胴部の延伸方向と平行であることを特徴とする請求項１９に記載の光ケーブル牽引接続装置。
【考案の詳細な説明】
【技術分野】
【０００１】
本実用新案は、牽引装置に関し、特に光ケーブルを引っ張る光ケーブル牽引接続装置に関する。
【背景技術】
【０００２】
高速広帯域インターネットの需要の増加に伴い、光ケーブルを住宅に直接的に引き込むファイバツーザホーム（Ｆｉｂｅｒ  Ｔｏ  Ｔｈｅ  Ｈｏｍｅ、ＦＴＴＨと略称する）の配線工事は急速に普及している。現在、一般的な施工方式は、まずメッシュで光ケーブルを被覆した後、配線配管内でメッシュを引っ張ることであり、これにより光ケーブルを施工場所からユーザの住宅に引き込むという目的を達成し、インターネット接続の速度は、光ケーブル内に含まれる光ファイバの数（光ファイバの数が多いほど、光ケーブルの径幅もそれに伴って厚くなる）に依存し、したがって、光ケーブルと配線配管との間に一層のメッシュの厚さが存在すれば、光ケーブルの径幅を配線配管の径幅に近づくことができないため、リソース伝送速度をより速くすることができないという欠点が存在することが予想される。
【考案の概要】
【考案が解決しようとする課題】
【０００３】
したがって、本実用新案は、メッシュの使用を回避し、さらに光ケーブルの径幅を配線配管内に最大限に存在させることができる光ケーブル牽引接続装置を提供することを目的とする。
【課題を解決するための手段】
【０００４】
本実用新案の光ケーブル牽引接続装置は、光ケーブル保護管、スリーブ、牽引部材及び締付部材を含む。
【０００５】
該光ケーブル保護管は、管体部及び該管体部を接続する接続部を含む。該スリーブは、ヘッド及び胴部を含み、該胴部は、該光ケーブル保護管の該接続部に閉塞される。該牽引部材は、本体部及び該本体部に接続されたタブを含み、該本体部は、該スリーブの該胴部に設けられ、該タブは、該本体部から該スリーブの該ヘッドに外向きに伸び出す。該締付部材は、該光ケーブル保護管の該接続部に嵌設され、該締付部材は、該スリーブの該胴部と係合して該光ケーブル保護管の該接続部を介在させる。
【０００６】
本実用新案の１つの実施例では、該接続部は円錐形を呈する。
【０００７】
本実用新案の１つの実施例では、該接続部は円錐形を呈し、該光ケーブル保護管は、該接続部に形成された少なくとも１つのスロットをさらに含む。
【０００８】
本実用新案の１つの実施例では、該接続部は円錐形を呈し、該光ケーブル保護管は、該接続部に形成された少なくとも１つのスロットをさらに含む。
【０００９】
本実用新案の１つの実施例では、該スリーブの該ヘッドの孔径は、該胴部の孔径よりも小さい。
【００１０】
本実用新案の１つの実施例では、該スリーブの該ヘッドの孔径は、該胴部の孔径よりも小さく、該スリーブは、該ヘッドから径方向に外向きに延伸するフランジをさらに含み、該フランジは、該光ケーブル保護管の該接続部の末端を当接させる。
【００１１】
本実用新案の１つの実施例では、該スリーブの該胴部の外表面に第１の結合セグメントを有し、該締付部材の内表面に第２の結合セグメントを有し、該第１の結合セグメントと該第２の結合セグメントとは互いに形状が係合する。
【００１２】
本実用新案の１つの実施例では、該スリーブは、該胴部に形成された複数の切欠溝をさらに含み、それにより該胴部を複数のシートに区分けする。
【００１３】
本実用新案の１つの実施例では、該スリーブは、該胴部に形成された複数の切欠溝をさらに含み、それにより該胴部を複数のシートに区分けし、該スリーブの該ヘッドの孔径を該胴部の孔径よりも小さくする。
【００１４】
本実用新案の１つの実施例では、該スリーブは、該胴部に形成された複数の切欠溝をさらに含み、それにより該胴部を複数のシートに区分けし、該スリーブの該ヘッドの孔径を該胴部の孔径よりも小さくし、該スリーブは、該ヘッドから径方向に外向きに延伸するフランジをさらに含み、該フランジは、該光ケーブル保護管の該接続部の末端を当接させる。
【００１５】
本実用新案の１つの実施例では、該牽引部材の該タブは、接合セグメント及びバックルを有し、該バックルは、該接合セグメントに取り外し可能に設けられる。
【００１６】
本実用新案の１つの実施例では、該牽引部材の該タブは、接合セグメント及びバックルを有し、該バックルは、該接合セグメントに取り外し可能に設けられ、２つのナット及び１つのアダプタリングをさらに含み、該牽引部材の該タブの該接合セグメントは、ねじ状を呈し、該２つのナットは、該接合セグメントにロックされ、該２つのナットは、互いに係合して該アダプタリングを設けるリミットスペースを画定し、該アダプタリングは、対向して設けられた２つの嵌合部を含み、該牽引部材の該バックルの２つの末端は、該アダプタリングの該２つの嵌合部に嵌設される。
【００１７】
本実用新案の１つの実施例では、該牽引部材の該タブは、接合セグメント及びバックルを有し、該バックルは、該接合セグメントに取り外し可能に設けられ、２つのナット及び１つのアダプタリングをさらに含み、該牽引部材の該タブの該接合セグメントは、ねじ状を呈し、該２つのナットは、該接合セグメントにロックされ、該２つのナットは、互いに係合して該アダプタリングを設けるリミットスペースを画定し、該アダプタリングは、対向して設けられた２つの嵌合部を含み、該牽引部材の該バックルの２つの末端は、該アダプタリングの該２つの嵌合部に嵌設され、ガスケットをさらに含み、該ガスケットは、該牽引部材の該接合セグメントに嵌設され、該ガスケットは、該２つのナットのうちの１つと該スリーブとの間に介在する。
【００１８】
本実用新案の１つの実施例では、ジャケットクランプ、及び固定器をさらに含み、該ジャケットクランプは、介在部及びレールを含み、該ジャケットクランプは、該光ケーブル保護管の該管体部に取り外し可能に設けられ、該固定器は、該光ケーブル保護管に取り外し可能に嵌設され、かつ該ジャケットクランプに対して移動可能であり、該固定器は、該締付部材を収容する装着部を画定し、該固定器が該ジャケットクランプの該レールに沿って移動する場合、該固定器は、該締付部材が該光ケーブル保護管の該管体部に移動するように駆動し、さらに該締付部材と該スリーブが互いに係合して該光ケーブル保護管の該接続部をクランプさせる。
【００１９】
本実用新案の１つの実施例では、ジャケットクランプ、及び固定器をさらに含み、該ジャケットクランプは、介在部及びレールを含み、該ジャケットクランプは、該光ケーブル保護管の該管体部に取り外し可能に設けられ、該固定器は、該光ケーブル保護管に取り外し可能に嵌設され、かつ該ジャケットクランプに対して移動可能であり、該固定器は、該締付部材を収容する装着部を画定し、該固定器が該ジャケットクランプの該レールに沿って移動する場合、該固定器は、該締付部材が該光ケーブル保護管の該管体部に移動するように駆動し、さらに該締付部材と該スリーブが互いに係合して該光ケーブル保護管の該接続部をクランプさせ、該ジャケットクランプの該介在部は、ボルトによりロック方式で該光ケーブル保護管の該管体部に固定される。
【００２０】
本実用新案の１つの実施例では、ジャケットクランプ、及び固定器をさらに含み、該ジャケットクランプは、介在部及びレールを含み、該ジャケットクランプは、該光ケーブル保護管の該管体部に取り外し可能に設けられ、該固定器は、該光ケーブル保護管に取り外し可能に嵌設され、かつ該ジャケットクランプに対して移動可能であり、該固定器は、該締付部材を収容する装着部を画定し、該固定器が該ジャケットクランプの該レールに沿って移動する場合、該固定器は、該締付部材が該光ケーブル保護管の該管体部に移動するように駆動し、さらに該締付部材と該スリーブが互いに係合して該光ケーブル保護管の該接続部をクランプさせ、該ジャケットクランプの該レールは、ねじ状を呈し、該固定器は、回転方式で該ジャケットクランプの該レールに沿って移動する。
【００２１】
本実用新案の１つの実施例では、ジャケットクランプ、及び固定器をさらに含み、該ジャケットクランプは、介在部及びレールを含み、該ジャケットクランプは、該光ケーブル保護管の該管体部に取り外し可能に設けられ、該固定器は、該光ケーブル保護管に取り外し可能に嵌設され、かつ該ジャケットクランプに対して移動可能であり、該固定器は、該締付部材を収容する装着部を画定し、該固定器が該ジャケットクランプの該レールに沿って移動する場合、該固定器は、該締付部材が該光ケーブル保護管の該管体部に移動するように駆動し、さらに該締付部材と該スリーブが互いに係合して該光ケーブル保護管の該接続部をクランプさせ、該ジャケットクランプの該レールは、ねじ状を呈し、該固定器は、回転方式で該ジャケットクランプの該レールに沿って移動し、該固定器は、雌ねじを有するアダプタ管、及び該アダプタ管に取り外し可能に設けられた可動部材を含み、該可動部材は、該アダプタ管の末端と逆に該装着部を画定する。
【００２２】
本実用新案の１つの実施例では、ジャケットクランプ、及び固定器をさらに含み、該ジャケットクランプは、介在部及びレールを含み、該ジャケットクランプは、該光ケーブル保護管の該管体部に取り外し可能に設けられ、該固定器は、該光ケーブル保護管に取り外し可能に嵌設され、かつ該ジャケットクランプに対して移動可能であり、該固定器は、該締付部材を収容する装着部を画定し、該固定器が該ジャケットクランプの該レールに沿って移動する場合、該固定器は、該締付部材が該光ケーブル保護管の該管体部に移動するように駆動し、さらに該締付部材と該スリーブが互いに係合して該光ケーブル保護管の該接続部をクランプさせ、該ジャケットクランプの該レールは、ねじ状を呈し、該固定器は、回転方式で該ジャケットクランプの該レールに沿って移動し、該固定器は、雌ねじを有するアダプタ管、及び該アダプタ管に取り外し可能に設けられた可動部材を含み、該可動部材は、該アダプタ管の末端と逆に該装着部を画定し、該スリーブの該胴部の外表面に第１の結合セグメントを有し、該締付部材の内表面に第２の結合セグメントを有し、該第１の結合セグメントと該第２の結合セグメントとは互いに形状が係合する。
【００２３】
本実用新案の１つの実施例では、ジャケットクランプ、及び固定器をさらに含み、該ジャケットクランプは、介在部及びレールを含み、該ジャケットクランプは、該光ケーブル保護管の該管体部に取り外し可能に設けられ、該固定器は、該光ケーブル保護管に取り外し可能に嵌設され、かつ該ジャケットクランプに対して移動可能であり、該固定器は、該締付部材を収容する装着部を画定し、該固定器が該ジャケットクランプの該レールに沿って移動する場合、該固定器は、該締付部材が該光ケーブル保護管の該管体部に移動するように駆動し、さらに該締付部材と該スリーブが互いに係合して該光ケーブル保護管の該接続部をクランプさせ、該スリーブの該ヘッドの孔径は、該胴部の孔径よりも小さく、該スリーブは、該ヘッドから径方向に外向きに延伸するフランジをさらに含み、該フランジは、該光ケーブル保護管の該接続部の末端を当接させる。
【００２４】
本実用新案の１つの実施例では、ジャケットクランプ、及び固定器をさらに含み、該ジャケットクランプは、介在部及びレールを含み、該ジャケットクランプは、該光ケーブル保護管の該管体部に取り外し可能に設けられ、該固定器は、該光ケーブル保護管に取り外し可能に嵌設され、かつ該ジャケットクランプに対して移動可能であり、該固定器は、該締付部材を収容する装着部を画定し、該固定器が該ジャケットクランプの該レールに沿って移動する場合、該固定器は、該締付部材が該光ケーブル保護管の該管体部に移動するように駆動し、さらに該締付部材と該スリーブが互いに係合して該光ケーブル保護管の該接続部をクランプさせ、該スリーブは、該胴部に形成された複数の切欠溝をさらに含み、それにより該胴部を複数のシートに区分けする。
【００２５】
本実用新案の１つの実施例では、ジャケットクランプ、及び固定器をさらに含み、該ジャケットクランプは、介在部及びレールを含み、該ジャケットクランプは、該光ケーブル保護管の該管体部に取り外し可能に設けられ、該固定器は、該光ケーブル保護管に取り外し可能に嵌設され、かつ該ジャケットクランプに対して移動可能であり、該固定器は、該締付部材を収容する装着部を画定し、該固定器が該ジャケットクランプの該レールに沿って移動する場合、該固定器は、該締付部材が該光ケーブル保護管の該管体部に移動するように駆動し、さらに該締付部材と該スリーブが互いに係合して該光ケーブル保護管の該接続部をクランプさせ、該スリーブは、該胴部に形成された複数の切欠溝をさらに含み、それにより該胴部を複数のシートに区分けし、該スリーブの該複数の切欠溝の延伸方向は、該スリーブの該胴部の延伸方向と平行である。
【考案の効果】
【００２６】
本実用新案の効果は、該光ケーブル保護管、該スリーブ、該牽引部材及び該締付部材を互いに緊密に結合させる構造設計により、施工者は該牽引部材を引っ張るだけで、光ケーブルを配線配管内で移動させることができ、それによりメッシュの使用を回避するという目的を達成して、光ケーブルの径幅を配線配管内に最大限に存在させることができるということである。本実用新案の他の特徴及び効果は、図面を参照する実施形態において明らかに示される。
【図面の簡単な説明】
【００２７】
【図１】本実用新案の光ケーブル牽引接続装置の１つの実施例の立体分解図であり、光ケーブル保護管、ジャケットクランプ、アダプタ管、締付部材、可動部材及び牽引部材が互いに分離することを説明する。
【図２】該実施例の一部の断面図であり、該光ケーブル保護管、該ジャケットクランプ、該アダプタ管、該可動部材、該締付部材及び該牽引部材が互いに組み合わせられ、かつ該可動部材の装着部が該締付部材に当接することを説明する。
【図３】該実施例の分解図であり、該光ケーブル保護管、該締付部材、該スリーブ、該牽引部材及び他の部材がまだ組み立てられていないことを説明する。
【図４】該実施例の斜視図であり、図３における全ての部材が組み合わせられることを説明する。
【図５】該実施例の断面図である。
【図６】もう一つの実施例の断面図である。
【符号の説明】
【００２８】
１−光ケーブル保護管、１１−管体部、１２−接続部、１３−スロット、２−スリーブ、２１−ヘッド、２２−胴部、２２１−第１の結合セグメント、２２２−シート、２３−切欠溝、２４−フランジ、３−牽引部材、３１−本体部、３２−タブ、３２１−接合セグメント、３２２−バックル、３２３−頂面、４１−ナット、４１１−リミットスペース、４２−アダプタリング、４２１−嵌合部、４３−ガスケット、４４−ボルト、５−締付部材、５１−第２の結合セグメント、６−ジャケットクランプ、６１−介在部、６２−レール、７−固定器、７１−アダプタ管、７２−可動部材、７２１−装着部
【考案を実施するための形態】
【００２９】
図１、図２、図３に示すように、本実用新案の光ケーブル牽引接続装置の実施例は、１つの光ケーブル保護管１、１つのスリーブ２、１つの牽引部材３、２つのナット４１、１つのアダプタリング４２、１つのガスケット４３、１つの締付部材５、１つのジャケットクランプ６、及び１つの固定器７を含む。
【００３０】
該光ケーブル保護管１は、１つの管体部１１、該管体部１１を接続する１つの接続部１２、該接続部１２に形成された少なくとも１つのスロット１３を含む。適用時に、本実用新案の光ケーブル牽引接続装置を実際に装着した光ケーブルは、その内部の複数本の光ファイバ（図示せず）が該管体部１１内に位置するが該光ケーブル保護管１内に挿入されない。
【００３１】
図３、図４、図５に示すように、該スリーブ２は、１つのヘッド２１、１つの胴部２２、該胴部２２に形成された複数の切欠溝２３、及び該ヘッド２１から径方向に外向きに延伸する１つのフランジ２４を含む。該スリーブ２の該ヘッド２１の孔径は、該胴部２２の孔径よりも小さい。
【００３２】
該スリーブ２の該胴部２２の外表面に第１の結合セグメント２２１を有する。該胴部２２は、複数の切欠溝２３の設置により複数のシート２２２に区分けされ、それにより該胴部２２は変形性を有し、該光ケーブル保護管１の該接続部１２に閉塞されやすく、追加的に、本実用新案の該光ケーブル保護管１の該接続部１２は、円錐形設計を呈し、それにより該光ケーブル保護管１が該スリーブ２の該胴部２２と緊密に接触することができ、好ましくは、該スリーブ２の該胴部２２が弾性を有すると、これらのシート２２２をそれぞれ該光ケーブル保護管１の該接続部１２に当接させ、さらに該光ケーブル保護管１と該スリーブ２という両者の接触度を増加させる。本実施例では、該スリーブ２の該複数の切欠溝２３の延伸方向は、該スリーブ２の該胴部２２の延伸方向と平行である。該フランジ２４は、該光ケーブル保護管１の該接続部１２の末端を当接させる。しかしながら、上記該スリーブ２の該胴部２２が変形性を有する態様は該切欠溝２３と該シート２２２により達成されるが、実際の構造設計と適用において、該スリーブ２の該胴部２２も他の構造設計又は材料の選択により、類似又はより優れる変形性を有することができる。
【００３３】
図３、図５に示すように、該牽引部材３は、本体部３１及び該本体部３１に接続されたタブ３２を含む。該本体部３１は、該スリーブ２の該胴部２２に設けられる。該タブ３２は、該本体部３１から該スリーブ２の該ヘッド２１に外向きに伸び出し、該タブ３２は、接合セグメント３２１及びバックル３２２を有し、該バックル３２２は、該接合セグメント３２１に取り外し可能に設けられ、他の適用において、該タブ３２２も一体成形に該接合セグメント３２１の頂面３２３に位置することができる。本実施例では、該タブ３２の該接合セグメント３２１は、ねじ状を呈し、該２つのナット４１は、該接合セグメント３２１にロックされ、該２つのナット４１は、互いに係合して該アダプタリング４２を設けるリミットスペース４１１を画定し、該アダプタリング４２は、対向して設けられた２つの嵌合部４２１を含み、該牽引部材３の該バックル３２２の２つの末端は、該アダプタリング４２の該２つの嵌合部４２１に嵌設される。該ガスケット４３は、該接合セグメント３２１に嵌設され、該ガスケット４３は、該２つのナット４１のうちの１つと該スリーブ２との間に介在し、それにより該スリーブ２の該ヘッド２１と該ナット４１との直接的な摩擦を防止する。なお、本実用新案において該ガスケット４３を設けなくてもよく、この時に該２つのナット４１と該アダプタリング４２を該スリーブ２にさらに移動させるだけでよく、これにより該スリーブ２の該接合セグメント３２１での変位を防止することもできる。
【００３４】
図４、図５に示すように、該締付部材５は、該光ケーブル保護管１の該接続部１２に嵌設され、該締付部材５の内表面に第２の結合セグメント５１を有し、該第１の結合セグメント２２１と該第２の結合セグメント５１とは互いに形状が係合し、例えば、該第１の結合セグメント２２１と該第２の結合セグメント５１とはそれぞれ雄ねじと雌ねじであってもよいが、これらに限定されない。該締付部材５は、該スリーブ２の該胴部２２と係合して該光ケーブル保護管１の該接続部１２を介在させる。
【００３５】
図１、図２に示すように、該ジャケットクランプ６は、介在部６１及びレール６２を含み、該ジャケットクランプ６は該光ケーブル保護管１の該管体部１１に取り外し可能に設けられる。本実施例では、該ジャケットクランプ６の該介在部６１は、ボルト４４によりロック方式で該光ケーブル保護管１の該管体部１１に固定される。該ジャケットクランプ６の該レール６２は、ねじ状を呈する。
【００３６】
該固定器７は、該光ケーブル保護管１に取り外し可能に嵌設され、かつ該ジャケットクランプ６に対して移動可能である。本実施例では、該固定器７は、回転方式で該ジャケットクランプ６の該レール６２に沿って移動する。該固定器７は、アダプタ管７１及び可動部材７２を含む。該アダプタ管７１は、雌ねじを有する。該可動部材７２は、該アダプタ管７１に取り外し可能に設けられ、該可動部材７２は、該アダプタ管７１の末端と逆に装着部７２１を画定し、該装着７２１は、該締付部材５を収容する。
【００３７】
図２、図４、図５に示すように、本実用新案は、組立については、例えば、まず該牽引部材３の該本体部３１と該タブ３２の該接合セグメント３２１を該スリーブ２に貫通させてから、該スリーブ２の該胴部２２を該光ケーブル保護管１の該接続部１２に押し込み、次に該ガスケット４３、該バックル３２２が装着された該アダプタリング４２、及び該２つのナット４１を該牽引部材３の該接合セグメント３２１に設けた後、該締付部材５を該光ケーブル保護管１の該接続部１２に嵌設すると、図４に示すような組立部材を得ることができる。
【００３８】
図２、図５に示すように、次に該ジャケットクランプ６及び該固定器７という２つの補助ツールを使用することにより、該締付部材５と該スリーブ２の該胴部２２とが該光ケーブル保護管１の該接続部１２をさらにクランプするという目的を達成し、使用上、まず該ジャケットクランプ６を該光ケーブル保護管１の該管体部１１に嵌設し、次にボルト４４をねじ込んで該ジャケットクランプ６を該光ケーブル保護管１に堅固に設け、該固定器７の該アダプタ管７１を該可動部材７２と結合し、次に該固定器７を該ジャケットクランプ６の該レール６２に設け（図２に示すように）、該固定器７が該ジャケットクランプ６の該レール６２に沿って移動する場合、該固定器７は、該締付部材５が該光ケーブル保護管１の該管体部１１に移動するように駆動し、さらに該締付部材５と該スリーブ２が互いに係合して該光ケーブル保護管１の該接続部１２をクランプさせる。本実施例では、該固定器７を回転させることで該締付部材５が該光ケーブル保護管１の該管体部１１に移動するように駆動することにより、該締付部材５の該第２の結合セグメント５１と該スリーブ２の該第１の結合セグメント２２１が互いに噛み合って該光ケーブル保護管１の該接続部１２をクランプすることができる。
【００３９】
最後に、該ジャケットクランプ６及び該固定器７を該光ケーブル保護管１から取り外すと、本実用新案の組立作業が完了し、これにより、ファイバツーザホームの施工者はメッシュの使用を回避することができ、該バックル３２２を引っ張ることにより光ケーブルをオフィスビル又は住宅に直接的に引き込むことができ、すなわち、本実用新案の光ケーブル牽引接続装置を使用した後、光ケーブルと配線配管との間にメッシュの厚さが存在しないため、光ケーブル内の光ファイバの数を増加させることができ、それにより光ケーブルの径幅を配線配管の径幅と最大限にマッチングすることができる。追加的に、本実用新案では、該光ケーブル保護管１の該管体部１１に移動させるように該締付部材５を単に手で移動することができ、該締付部材５を該管体部１１に移動させるという目的を達成すれば、もちろん該ジャケットクランプ６及び該固定器７という２つの補助ツールのみを使用することに限定されなくてもよい。
【００４０】
なお、屋外で施工する時に雨が降る可能性があると考慮すると、液体が該スロット１３を介して該管体部１１内に流入することを防止するために、施工者は少なくとも１つの密封部材を利用して該スロット１３を密封することができ、それにより防水効果を取得し、例えば、密封部材は水気遮断効果を有するテープ、ストリップであってよいが、これらに限定されず、管体部１１内に入れたストリップ、締付部材５及び該光ケーブル保護管１の外縁に粘着された少なくとも１つの密封部材により、密閉効果を達成し、追加の密封部材を使用する以外に、機構内部の間の互いの干渉構造、係止構造又は他の構造設計により液体が該管体部１１内に流入することを回避することができるが、上記説明は本実用新案の適用態様を説明するだけであり、実際には、液体が該スロット１３を介して該管体部１１内に流入することを防止できるいかなる部材、機構設計又は他の適用は、いずれも本実用新案の保護範囲に属するべきである。
【００４１】
図３で示した実施例と同様、図６で掲示するもう一つの実施例の断面図では、そのアダプタリング４２は二つの環状構造により組成され、その他相応する構造の特徴は、図５と同様である。
【００４２】
以上の説明から、本実用新案の光ケーブル牽引接続装置の利点を以下にまとめることができる。
一、本実用新案の該締付部材５と該スリーブ２の該胴部２２とが係合して該光ケーブル保護管１の該接続部１２を介在し、該光ケーブル保護管１の該接続部１２と該牽引部材３の該本体部３１とが係合して該スリーブ２の該胴部２２を介在する設計により、該光ケーブル保護管１、該スリーブ２、該牽引部材３及び該締付部材５が互いに密接不可分な一体となり、これにより、施工者は該バックル３２２を引っ張るだけで、光ケーブルを配線配管内で移動させることができ、したがってメッシュの使用を回避するという効果を確かに達成することができる。
二、本実用新案は該ジャケットクランプ６及び該固定器７という２つの補助ツールを使用することにより、該締付部材５と該スリーブ２とが係合して該光ケーブル保護管１の該接続部１２をクランプすることができ、かつ使用過程は、単に手で該締付部材５を移動する場合よりも、便利で手数が省ける。
以上のようにして、本実用新案の光ケーブル牽引接続装置は、本実用新案の目的を確かに達成することができる。
【００４３】
本実用新案に開示された技術内容は、上記実施例に限定されておらず、本実用新案に開示された実用新案の概念及び原則と同じであるものは、いずれも本考案の実用新案登録請求の範囲に含まれる。なお、本実用新案に記載の部材の方向、例えば「上」、「下」、「上方」、「下方」、「水平」、「垂直」、「左」、「右」などは、絶対的な位置及び／又は方向を示すものではない。部材の定義、例えば「第１」及び「第２」は、限定するための文字ではなく、区別するための用語である。本考案において使用された「含む」又は「含有」は、「含む」及び「有する」という概念をカバーし、かつ部材、操作ステップ及び／又はそれらの組み合わせを示し、排除又は増加の意味を表すものではない。また、特に説明しない限り、操作ステップ順序は、絶対的な順序を意味しない。さらに、特に説明しない限り、単数の形式で部材を言及する（例えば冠詞「一」又は「１つ」を使用する）場合に、「１つかつ１つのみ」ではなく「１つ又は複数」を意味する。本考案において使用された「及び／又は」とは、「及び」又は「又は」、及び「及び」及び「又は」を指す。本考案において使用された範囲関連の用語は、全て及び／又は範囲限定を含み、例えば「少なくとも」、「より大きい」、「より小さい」、「超えない」などは、範囲の上限又は下限を指す。
【００４４】
以上の説明は本実用新案にとって限定的なものではなく、説明的なものであり、当業者であれば、請求項に限定された主旨及び範囲から逸脱することなく、多くの修正、変更又は等価置換を行うことができるが、いずれも本実用新案の保護範囲内に含まれることを理解されたい。
【図１】
0003233655.tif 000003
【図２】
0003233655.tif 000004
【図３】
0003233655.tif 000005
【図４】
0003233655.tif 000006
【図５】
0003233655.tif 000007
【図６】
0003233655.tif 000008
【手続補正書】
【提出日】令和3年6月21日(2021.6.21)
【手続補正１】
【補正対象書類名】実用新案登録請求の範囲
【補正対象項目名】請求項１
【補正方法】変更
【補正の内容】
【請求項１】
管体部及び該管体部を接続する接続部を含む光ケーブル保護管と、
ヘッド及び胴部を含み、該胴部は、該光ケーブル保護管の該接続部に閉塞されるスリーブと、
本体部及び該本体部を接続するタブを含む牽引部材であって、該本体部は、該スリーブの該胴部に設けられ、該タブは、該本体部から該スリーブの該ヘッドに外向きに伸び出す牽引部材と、
該光ケーブル保護管の該接続部に嵌設され、該スリーブの該胴部と係合して該光ケーブル保護管の該接続部を介在させる締付部材と、を含むことを特徴とする光ケーブル牽引接続装置。